(57)【要約】【課題】導光板によって形成した検出光の光強度分布を利用する方式であっても、対象物体の位置を正確に検出することができる光学式位置検出装置を提供すること。【解決手段】光学式位置検出装置１０においては、導光板１３の角部１３ａ〜１３ｄに光入射部１３ｅ〜１３ｈが設けられているとともに、導光板１３には、導光板１３の内部を伝播する検出光Ｌ２を光出射面１３ｓに向けて反射部が設けられている。このため、光入射部１３ｅ〜１３ｈから入射した検出光Ｌ２は、導光板１３の内部を伝播しながら進行する途中、反射部によって光出射面１３ｓに向けて偏向され、光出射面１３ｓ側には、検出光Ｌ２の光強度分布が形成される。導光板１３において、反射部１３ｒは、角部１３ａ〜１３ｄから離間するに伴って密度が増大する分布をもって設けられている。【選択図】図１
2012133631.tif 000002
【特許請求の範囲】
【請求項１】
対象物体の位置を光学的に検出する光学式位置検出装置であって、
検出光を出射する複数の検出用光源と、
前記検出用光源から出射された検出光が入射する光入射部を複数の角部の各々に備えた外周側面、および該外周側面に交差する光出射面を備えた四角形の導光板と、
前記光出射面からの前記検出光の出射空間に位置する前記対象物体により反射した前記検出光を検出する光検出器と、
前記複数の検出用光源が順次点灯した際の前記光検出器での前記検出光の検出強度に基づいて前記対象物体の位置を検出する位置検出部と、
を有し、
前記導光板には、該導光板の内部を伝播する前記検出光を前記光出射面に向けて反射する反射部が前記角部から離間するに伴って密度が増大する分布をもって設けられていることを特徴とする光学式位置検出装置。
【請求項２】
前記位置検出部は、前記複数の検出用光源のうち、周方向において隣り合う２つの前記角部に配置された一部の検出用光源を点灯させる一方、他の前記角部に配置された他の検出用光源を消灯させた際の前記光検出器での前記検出光の検出強度、および前記一部の検出用光源を消灯させる一方、前記他の検出用光源を点灯させた際の前記光検出器での前記検出光の検出強度に基づいて、前記対象物体の位置を検出することを特徴とする請求項１に記載の光学式位置検出装置。
【請求項３】
前記導光板では、前記複数の角部のうち、対角に位置する角部同士を結んだ２つの仮想線の交点から辺部に向かって前記反射部の密度が減少していることを特徴とする請求項２に記載の光学式位置検出装置。
【請求項４】
前記導光板において、前記角部から前記交点に向かって前記反射部の密度が増大していく度合いは、前記角部から前記交点と前記辺部との間に向かって前記反射部の密度が増大していく度合いより小であることを特徴とする請求項２または３に記載の光学式位置検出装置。
【請求項５】
前記導光板において前記複数の角部のうち、対角に位置する角部同士を結んだ２つの仮想線の交点と、前記光出射面からの前記検出光の出射空間に設定された検出対象空間において対角に位置する角部同士を結んだ２つの仮想線の交点とがずれていることを特徴とする請求項１乃至４の何れか一項に記載の光学式位置検出装置。
【請求項６】
前記反射部は、前記導光板において前記光出射面に対向する背面に形成された凹凸、前記導光板において前記光出射面に対向する背面に形成された印刷層、あるいは前記導光板中に分散する粒子であることを特徴とする請求項１乃至５の何れか一項に記載の光学式位置検出装置。
【請求項７】
前記検出光は赤外光であることを特徴とする請求項１乃至６の何れか一項に記載の光学式位置検出装置。
【発明の詳細な説明】
【技術分野】
【０００１】
本発明は、対象物体の位置を光学的に検出する光学式位置検出装置に関するものである。
【背景技術】
【０００２】
対象物体を光学的に検出する光学式位置検出装置としては、例えば、図１０（ａ）に示すように、複数の検出用光源１２の各々から導光板１３を介して対象物体に向けて検出光を出射し、対象物体で反射した検出光を光検出器で検出されるものが提案されている。（例えば、特許文献１参照）。
【０００３】
ここで、導光板１３には、検出用光源１２から出射された検出光が入射する光入射部が複数の角部の各々に設けられているとともに、光出射面あるいは光出射面に対向する背面に凹凸や印刷層等の反射部が均一に形成されている。このため、光入射部から入射した検出光は、導光板１３の内部を伝播しながら進行するとともに、反射部によって光出射面に向けて偏向され、光出射面から出射される。その結果、導光板１３の光出射面側には、検出光の光強度分布が形成される。また、光検出器での検出光の検出強度は、対象物体が位置する箇所の光強度に対応する。それ故、光検出器での検出光の検出強度に基づいて対象物体の位置を検出することができる。
【０００４】
例えば、Ｘ座標を検出する際、図１０（ａ）に実線で示すように、Ｘ軸方向の一方側Ｘ１に位置する２つの検出用光源１２を点灯させる一方、Ｘ軸方向の他方側Ｘ２に位置する２つの検出用光源１２を消灯させ、Ｘ軸方向の一方側Ｘ１から他方側Ｘ２に向かって強度が直線的に減少する光強度分布を形成する。次に、図１０（ｂ）に実線で示すように、Ｘ軸方向の他方側Ｘ２に位置する２つの検出用光源１２を点灯させる一方、Ｘ軸方向の一方側Ｘ１に位置する２つの検出用光源１２を消灯させ、Ｘ軸方向の他方側Ｘ２から一方側Ｘ１に向かって強度が直線的に減少する光強度分布を形成する。従って、図１０（ａ）に示す光強度分布を形成した期間中における光検出器での検出光の検出強度と、図１０（ｂ）に示す光強度分布を形成した期間中における光検出器での検出光の検出強度とを比較すれば対象物体のＸ座標（Ｘ座標データ）を検出することができる。同様に、Ｙ軸方向の一方側Ｙ１から他方側Ｙ２に向かって強度が直線的に減少する光強度分布、およびＹ軸方向の他方側Ｙ２から一方側Ｙ１に向かって強度が直線的に減少する光強度分布を形成して同様な検出を行えば、対象物体のＹ座標（Ｙ座標データ）を検出することができる。
【先行技術文献】
【特許文献】
【０００５】
【特許文献１】特開２０１０−２０４９９４号公報
【発明の概要】
【発明が解決しようとする課題】
【０００６】
しかしながら、特許文献１に記載の光学式位置検出装置のように、光強度分布を利用するのに、光出射面あるいは光出射面に対向する背面に凹凸や印刷層等の反射部が均一に形成された導光板を用いると、角部での強度が高くなる一方、角部から離間するに伴って強度が急激に低下する、このため、実際に形成される光強度分布は、図１０（ａ）、（ｂ）に一点鎖線で示すように、強度が直線的に変化しないため、対象物体の位置を正確に検出するのが困難であるという問題点がある。
【０００７】
以上の問題点に鑑みて、本発明の課題は、導光板によって形成した検出光の光強度分布を利用する方式であっても、対象物体の位置を正確に検出することができる光学式位置検出装置を提供することにある。
【課題を解決するための手段】
【０００８】
上記課題を解決するために、本発明は、対象物体の位置を光学的に検出する光学式位置検出装置であって、検出光を出射する複数の検出用光源と、前記検出用光源から出射された検出光が入射する光入射部を複数の角部の各々に備えた外周側面、および該外周側面に交差する光出射面を備えた四角形の導光板と、前記光出射面からの前記検出光の出射空間に位置する前記対象物体により反射した前記検出光を検出する光検出器と、前記複数の検出用光源が順次点灯した際の前記光検出器での前記検出光の検出強度に基づいて前記対象物体の位置を検出する位置検出部と、を有し、前記導光板には、該導光板の内部を伝播する前記検出光を前記光出射面に向けて反射する反射部が前記角部から離間するに伴って密度が増大する分布をもって設けられていることを特徴とする。
【０００９】
本発明では、導光板の角部に光入射部が設けられているとともに、導光板には、導光板の内部を伝播する検出光を光出射面に向けて反射部が設けられている。このため、光入射部から入射した検出光は、導光板の内部を伝播しながら進行する途中、反射部によって光出射面に向けて偏向され、光出射面から出射される。その結果、導光板に対して光出射面側には、検出光の光強度分布が形成される。また、光検出器での検出光の検出強度は、対象物体が位置する箇所の光強度に対応する。それ故、光検出器での検出光の検出強度に基づいて対象物体の位置を検出することができる。ここで、光入射部は導光板の角部に設けられているため、光出射面からの出射強度は、角部で高く、角部から離間するに伴って急激に低下しようとするが、本発明において、導光板では、反射部が角部から離間するに伴って密度が増大する分布をもって設けられている。このため、角部から離間する位置においては、光出射面からの出射効率が高い。それ故、光出射面に沿う方向では、一方側から他方側に向かって強度が直線的に減少する光強度分布を適正に形成することができるとともに、他方側から一方側に向かって強度が直線的に減少する光強度分布を適正に形成することができる。それ故、導光板によって形成した検出光の光強度分布を利用して対象物体の位置を精度よく検出することができる。
【００１０】
本発明において、前記位置検出部は、前記複数の検出用光源のうち、周方向において隣り合う２つの前記角部に配置された一部の検出用光源を点灯させる一方、他の前記角部に配置された他の検出用光源を消灯させた際の前記光検出器での前記検出光の検出強度、および前記一部の検出用光源を消灯させる一方、前記他の検出用光源を点灯させた際の前記光検出器での前記検出光の検出強度に基づいて、前記対象物体の位置を検出することが好ましい。かかる構成によれば、検出用光源を１つずつ点灯させた場合に比して、検出光の強度が大であるとともに、広い範囲にわたって、強度が直線的に変化する光強度分布を形成することができる。
【００１１】
本発明において、前記導光板では、前記複数の角部のうち、対角に位置する角部同士を結んだ２つの仮想線の交点から辺部に向かって前記反射部の密度が減少していることが好ましい。導光板の辺部付近では、かかる辺部を挟む角部に設けられた検出用光源から出射された検出光の強度が合成される。従って、対角に位置する角部同士を結んだ２つの仮想線の交点から辺部に向かって反射部の密度を減少させれば、光出射面に沿う方向において、強度が直線的に変化する光強度分布を適正に形成することができる。
【００１２】
本発明において、前記導光板において、前記角部から前記交点に向かって前記反射部の密度が増大していく度合いは、前記角部から前記交点と前記辺部との間に向かって前記反射部の密度が増大していく度合いより小であることが好ましい。導光板の辺部付近では、かかる辺部を挟む角部に設けられた検出用光源から出射された検出光の強度が合成される。従って、角部から交点に向かって反射部の密度が増大していく度合いを、角部から交点と辺部との間に向かって反射部の密度が増大していく度合いより小とすれば、光出射面に沿う方向において、強度が直線的に変化する光強度分布を適正に形成することができる。
【００１３】
本発明において、前記導光板において前記複数の角部のうち、対角に位置する角部同士を結んだ２つの仮想線の交点と、前記光出射面からの前記検出光の出射空間に設定された検出対象空間において対角に位置する角部同士を結んだ２つの仮想線の交点とがずれている構成を採用してもよい。本発明によれば、反射部の分布によって、適正な強度分布を形成することができるので、導光板の中心（対角に位置する角部同士を結んだ２つの仮想線の交点）と、検出対象空間の中心（対角に位置する角部同士を結んだ２つの仮想線の交点）とがずれている場合でも、検出対象空間全体に適正な光強度分布を形成することができる。
【００１４】
本発明において、前記反射部は、前記導光板において前記光出射面に対向する背面に形成された凹凸（凸部または／および凹部）、前記導光板において前記光出射面に対向する背面に形成されたドット状の印刷層、あるいは前記導光板中に分散する粒子である構成を採用することができる。
【００１５】
本発明において、前記検出光は赤外光であることが好ましい。かかる構成によれば、検出光が視認されないので、表示装置の表示面と重なる位置に検出対象空間を設定した場合でも、検出光が画像の視認を妨げない。また、表示装置の表示面と重なる位置に検出対象空間を設定した場合でも、検出光と表示光の波長が異なるので、導光板に設けた反射部が画像の表示を妨げない。
【図面の簡単な説明】
【００１６】
【図１】本発明を適用した位置検出機能付き機器の要部等を示す説明図である。
【図２】本発明を適用した光学式位置検出装置で用いた検出光の説明図である。
【図３】本発明を適用した光学式位置検出装置の導光板に設けた反射部の構成を示す説明図である。
【図４】本発明を適用した光学式位置検出装置の導光板に設けた反射部の分布を示す説明図である。
【図５】本発明を適用した光学式位置検出装置において検出用光源を１つずつ点灯させたときに形成される光強度分布の説明図である。
【図６】本発明を適用した光学式位置検出装置において検出用光源を所定のパターンで順次点灯させて光強度分布を形成する様子を示す説明図である。
【図７】本発明を適用した光学式位置検出装置において、検出用光源から出射された検出光によって座標検出用の光強度分布が形成される様子を示す説明図である。
【図８】本発明を適用した光学式位置検出装置での位置検出原理を模式的に示す説明図である。
【図９】本発明を適用した別の位置検出機能付き機器の説明図である。
【図１０】従来の光学式位置検出装置の説明図である。
【発明を実施するための形態】
【００１７】
次に、添付図面を参照して本発明の実施形態について詳細に説明する。なお、以下の説明においては、表示装置の表示面等の情報が表示される視認面に沿う方向において互いに交差する軸をＸ軸およびＹ軸とし、Ｘ軸およびＹ軸に交差する軸をＺ軸として説明する。従って、Ｚ軸方向は、視認面に対して交差する方向である。また、以下に参照する図面では、Ｘ軸方向の一方側をＸ１側とし、他方側をＸ２側とし、Ｙ軸方向の一方側をＹ１側とし、他方側をＹ２側として示し、Ｚ軸方向において視認面（表示面）から離間する方向（一方側）をＺ１側とし、他方側をＺ２側として示してある。また、以下の説明で参照する図においては、各部材を図面上で認識可能な程度の大きさとするため、各部材毎に縮尺を異ならしめてある。
【００１８】
［位置検出機能付き機器の構成］
（位置検出機能付き機器の全体構成）
図１は、本発明を適用した位置検出機能付き機器の要部等を示す説明図であり、図１（ａ）、（ｂ）は、位置検出機能付き機器において光学式位置検出装置に用いた光学部品のレイアウト等を示す説明図、および光学式位置検出装置の電気的構成を示す説明図である。図２は、本発明を適用した光学式位置検出装置で用いた検出光の説明図であり、図２（ａ）、（ｂ）、（ｃ）は、対象物体で反射した光が光検出器で受光される様子を平面的に示す説明図、対象物体で反射した光が光検出器で受光される様子を断面的に示す説明図、および導光板内での検出光の減衰状態を示す説明図である。
【００１９】
図１（ａ）および図２（ａ）、（ｂ）に示すように、本形態の位置検出機能付き機器１００は、有機エレクトロルミネッセンス装置やプラズマ表示装置等の直視型電気光学装置からなる表示装置８（視認面構成部材）と、表示装置８の視認面８０（表示面）側に位置する対象物体Ｏｂの位置を光学的に検出する光学式位置検出装置１０とを有している。
【００２０】
光学式位置検出装置１０は、視認面８０に対してＺ軸方向の一方側Ｚ１で重なる空間を検出対象空間１０Ｒ（検出光Ｌ２の出射空間）としており、検出光Ｌ２を出射する複数の検出用光源１２（検出用光源１２Ａ〜１２Ｄ）と、検出用光源１２から出射された検出光Ｌ２のうち、検出対象空間１０Ｒ内において対象物体Ｏｂで反射した検出光Ｌ３の一部を検出する光検出器３０とを備えている。
【００２１】
本形態においては、複数の検出用光源１２として、４つの検出用光源１２Ａ〜１２Ｄが用いられている。複数の検出用光源１２はいずれも、ＬＥＤ（発光ダイオード）等により構成され、赤外光からなる検出光Ｌ２を発散光として出射する。すなわち、検出光Ｌ２は、指等の対象物体Ｏｂにより効率的に反射される波長域を有することが好ましいことから、人体の表面での反射率の高い赤外域にピークを備えている。例えば、検出光Ｌ２は、可視光領域に近い近赤外線、例えば波長８５０ｎｍ付近にピークを有する光である。
【００２２】
また、本形態の光学式位置検出装置１０は、ポリカーボネートやアクリル樹脂等の透明な樹脂板等からなる導光板１３を備えており、検出用光源１２から出射された検出光Ｌ２は、導光板１３を介してＺ軸方向の一方側Ｚ１に出射され、かかる検出光Ｌ２が出射される空間によって検出対象空間１０Ｒが構成されている。ここで、導光板１３は表示装置８に対してＺ軸方向の一方側Ｚ１に重ねて配置されている。このため、表示装置８が生成した画像は、導光板１３の光出射面１３ｓに表示される。それ故、本形態では、導光板１３の光出射面１３ｓは、表示装置８の実質的な表示面として利用される。
【００２３】
本形態において、導光板１３は、略長方形の平面形状を有しており、導光板１３において、検出対象空間１０Ｒに向いている面が光出射面１３ｓであり、光出射面１３ｓに交差する外周側面１３ｍにおいて、４つの角部１３ａ〜１３ｄには、４つの検出用光源１２（検出用光源１２Ａ〜１２Ｄ）が発光面を向けている。従って、導光板１３の角部１３ａ〜１３ｄは、検出用光源１２から出射された検出光Ｌ２が入射する光入射部１３ｅ〜１３ｈとして用いられている。本形態において、光入射部１３ｅ〜１３ｈは、角部１３ａ〜１３ｄを面取りした部分からなる。また、４つの検出用光源１２は、導光板１３において対角に位置する角部に中心光軸を向けている。より具体的には、角部１３ａに配置された検出用光源１２Ａは、対角の角部１３ｂに中心光軸を向け、角部１３ｂに配置された検出用光源１２Ｂは、対角の角部１３ａに中心光軸を向けている。同様に、角部１３ｃに配置された検出用光源１２Ｃは、対角の角部１３ｄに中心光軸を向け、角部１３ｄに配置された検出用光源１２Ｄは、対角の角部１３ｃに中心光軸を向けている。
【００２４】
また、導光板１３の背面１３ｔには、後述するように、微細な凹凸等からなる反射部が設けられており、このような反射部によって、角部１３ａ〜１３ｄから入射して内部を伝播する検出光Ｌ２は、その伝播方向に進むに従って徐々に偏向されて光出射面１３ｓよりＺ軸方向の一方側Ｚ１に向けて出射される。例えば、検出用光源１２Ａから出射された検出光Ｌ２ａは、導光板１３の内部において矢印Ａで示す方向に進行しながら、光出射面１３ｓから出射される。検出用光源１２Ｂから出射された検出光Ｌ２ｂは、導光板１３の内部において矢印Ａで示す方向とは逆方向に進行しながら、光出射面１３ｓから出射される。検出用光源１２Ｃから出射された検出光Ｌ２ｃは、導光板１３の内部において矢印Ｃで示す方向に進行しながら、光出射面１３ｓから出射される。検出用光源１２Ｄから出射された検出光Ｌ２ｄは、導光板１３の内部において矢印Ｃで示す方向とは逆方向に進行しながら、光出射面１３ｓから出射される。
【００２５】
かかる構成の光学式位置検出装置１０においては、例えば、導光板１３から検出対象空間１０Ｒに出射される検出光Ｌ２ａの光量は、図２（ｃ）に実線で示すように、検出用光源１２Ａからの距離に伴って減衰する。また、導光板１３から検出対象空間１０Ｒに出射される検出光Ｌ２ｂの光量は、図２（ｃ）に点線で示すように、検出用光源１２Ｂからの距離に伴って減衰する。他の検出用光源１２Ｃ、１２Ｄから出射された検出光Ｌ２ｃ、Ｌ２ｄも同様に減衰しながら光出射面１３ｓから出射される。従って、検出光Ｌ２は、図４や図６等を参照して後述する光強度分布を検出対象空間１０Ｒに形成する。
【００２６】
なお、導光板１３の光出射側には、検出光Ｌ２ａ〜Ｌ２ｄの均一化を図るために、必要に応じて、プリズムシートや光散乱板等の光学シートが配置される場合もある。また、本形態では、検出光Ｌ２として赤外光が用いられており、表示装置８において画像の表示に用いられる光（可視光）とは波長が相違する。このため、導光板１３の背面１３ｔあるいは光出射面１３ｓに赤外光に対する凹凸等の反射部を設けても、画像の表示には大きな支障がない。
【００２７】
（光検出器３０の構成）
光検出器３０は、フォトダイオードやフォトトランジスター等の受光素子からなり、検出対象空間１０Ｒの外側のうち、導光板１３の辺部の略中央位置で検出対象空間１０Ｒに光検出器を向けている。本形態において、光検出器３０は、検出光Ｌ２の中心ピークと略重なる位置に感度領域を備えたフォトダイオード等からなる。
【００２８】
（参照用光源１２Ｒの構成）
さらに、本形態の光学式位置検出装置１０は、検出対象空間１０Ｒを経由せずに光検出器３０に参照光Ｌｒを入射させる参照用光源１２Ｒを備えており、かかる参照用光源１２Ｒは、検出用光源１２と同様、可視光領域に近い近赤外線、例えば波長８５０ｎｍ付近にピークを有する光を発散光として出射するＬＥＤである。このような参照用光源１２Ｒを利用すれば、検出用光源１２Ａ〜１２Ｄや光検出器３０の初期条件を設定する際、参照用光源１２Ｒから出射された参照光Ｌｒの光検出器３０での検出強度を基準とすることができる。また、後述する方法で対象物体ＯｂのＸ座標、Ｙ座標およびＺ座標を検出する際、光検出器３０での参照光Ｌｒの検出強度と、対象物体Ｏｂで反射した検出光Ｌ３の光検出器３０での検出強度とを比較した結果等を利用することができる。
【００２９】
（光学式位置検出装置１０の電気的構成）
図１（ｂ）に示すように、光学式位置検出装置１０は、検出用光源１２（検出用光源１２Ａ〜１２Ｄ）および参照用光源１２Ｒを駆動する光源駆動部１４と、光検出器３０から検出結果が出力される位置検出部５０とを有しており、光源駆動部１４と位置検出部５０とは、例えば、共通の半導体集積回路５００に構成されている。光源駆動部１４は、検出用光源１２（検出用光源１２Ａ〜１２Ｄ）および参照用光源１２Ｒを駆動する光源駆動回路１４０（光源駆動回路１４０ａ〜１４０ｄ、１４０ｒ）と、光源駆動回路１４０を介して検出用光源１２（検出用光源１２Ａ〜１２Ｄ）および参照用光源１２Ｒの点灯を制御する光源制御部１４５とを備えている。
【００３０】
位置検出部５０は、信号処理部５５と座標検出部５６とを備えており、座標検出部５６は、光検出器３０での検出結果に基づいて対象物体Ｏｂの位置（座標データ）を検出する。本形態において、座標検出部５６は、Ｘ座標検出部５１、Ｙ座標検出部５２およびＺ座標検出部５３を備えている。光源制御部１４５と位置検出部５０とは、信号線で接続されており、検出用光源１２に対する駆動と位置検出部５０での検出動作とは、連動して行われる。また、位置検出部５０は、表示装置８に電気的に接続されており、対象物体Ｏｂの位置や動きによって、表示装置８で表示される画像を切り換えることができる。また、対象物体Ｏｂの位置や動きと、表示装置８で表示される画像との位置関係によって情報を入力することができる。
【００３１】
（導光板１３の反射部の構成）
図３は、本発明を適用した光学式位置検出装置１０の導光板１３に設けた反射部の構成を示す説明図であり、図３（ａ）、（ｂ）、（ｃ）、（ｄ）は、丸穴状の凹部からなる反射部の説明図、プリズム状の凹部からなる反射部の説明図、印刷層からなる反射部の説明図、および散乱粒子からなる反射部の説明図である。図４は、本発明を適用した光学式位置検出装置１０の導光板１３に設けた反射部の分布を示す説明図であり、図４（ａ）、（ｂ）、（ｃ）は、反射部の分布を立体的に示す説明図、反射部の分布を濃淡で示す説明図、および図４（ｂ）に矢印Ｒ１、Ｒ２で示す方向における反射部の密度を示す説明図である。
【００３２】
図３に示すように、本形態の光学式位置検出装置１０に用いた導光板１３において、その導光板１３の背面１３ｔには反射部１３ｒが設けられている。かかる反射部１３ｒのうち、図３（ａ）に示す反射部１３ｒは、導光板１３の背面１３ｔに設けた丸穴状の凹部からなり、導光板１３の内部を伝播する検出光Ｌ２は、反射部１３ｒの壁面に当たって反射し、光出射面１３ｓに向けて偏向される。図３（ｂ）に示す反射部１３ｒは、導光板１３の背面１３ｔに設けたプリズム状凹部からなり、導光板１３の内部を伝播する検出光Ｌ２は、反射部１３ｒの斜面に当たって反射し、光出射面１３ｓに向けて偏向される。図３（ｃ）に示す反射部１３ｒは、導光板１３の背面１３ｔに設けたドット状の印刷層からなり、導光板１３の内部を伝播する検出光Ｌ２は、反射部１３ｒに当たって反射し、光出射面１３ｓに向けて偏向される。本形態において、印刷層は、白色や黄色等、赤外光を効率よく反射するインクその他の材料からなる。なお、反射部１３ｒを印刷層によって構成する場合、印刷層のドット密度によって分布を制御する他、赤外光に対する反射効率が相違する印刷層を複数用いて、反射部１３ｒの密度を所定の分布としてもよい。図３（ｄ）に示す反射部１３ｒは、微細な粒子からなり、導光板１３の内部を伝播する検出光Ｌ２は、反射部１３ｒに当たって反射し、光出射面１３ｓに向けて偏向される。
【００３３】
本形態において、反射部１３ｒは、図４に示すように、角部１３ａ〜１３ｄから離間するに伴って密度が増大する分布をもって設けられている。より具体的には、図４（ａ）、（ｂ）に示すように、導光板１３において、複数の角部１３ａ〜１３ｄのうち、対角に位置する角部同士を結んだ２つの仮想線の交点を中心Ｏ13としたとき、反射部１３ｒは、中心Ｏ13で最も高く、周辺部に向かって密度が単調に低下している。従って、反射部１３ｒは、中心Ｏ13から角部１３ａ〜１３ｄに向かって密度が単調に低下している。また、反射部１３ｒは、中心Ｏ13から辺部１３ｎに向かって密度が単調に低下している。
【００３４】
ここで、図４（ｂ）に矢印Ｒ1で示すように、角部１３ａ〜１３ｄから中心Ｏ13に向かって反射部１３ｒの密度が増大していく度合いは、図４（ｃ）に実線Ｒ1で示すように表され、図４（ｂ）に矢印Ｒ2で示すように、角部１３ａ〜１３ｄから中心Ｏ13と辺部１３ｎとの間に向かって反射部１３ｒの密度が増大していく度合いは、図４（ｃ）に実線Ｒ2で示すように表される。図４（ｃ）に実線Ｒ1、Ｒ2で示す密度変化を比較すればわかるように、角部１３ａ〜１３ｄから中心Ｏ13に向かって反射部１３ｒの密度が増大していく度合いは、角部１３ａ〜１３ｄから中心Ｏ13と辺部１３ｎとの間に向かって反射部１３ｒの密度が増大していく度合いに比して小さくなっている。
【００３５】
このため、本形態では、図５および図７を参照して以下に説明するように、検出対象空間１０Ｒに検出光Ｌ２の強度が直線的に変化する光強度分布を形成することができる。
【００３６】
（光強度分布の説明）
図５は、本発明を適用した光学式位置検出装置１０において検出用光源１２（検出用光源１２Ａ〜１２Ｄ）を１つずつ点灯させたときに形成される光強度分布の説明図である。図６は、図５は、本発明を適用した光学式位置検出装置１０において検出用光源１２（検出用光源１２Ａ〜１２Ｄ）を所定のパターンで順次点灯させて光強度分布を形成する様子を示す説明図である。図７は、本発明を適用した光学式位置検出装置１０において、検出用光源１２から出射された検出光Ｌ２によって座標検出用の光強度分布が形成される様子を示す説明図である。なお、図６では、点灯している検出用光源１２についてはグレーで表してある。
【００３７】
図１（ａ）、図２（ａ）および図５において、本形態の光学式位置検出装置１０では、検出用光源１２Ａが点灯する一方、他の検出用光源１２Ｂ〜１２Ｄが消灯状態にあると、検出対象空間１０Ｒには、Ｘ軸方向の一方側Ｘ１およびＹ軸方向の一方側Ｙ１の角部をピークとする光強度分布が形成され（図５（ａ）参照）、かかる光強度分布において強度は直線的に変化している。また、検出用光源１２Ｂが点灯する一方、他の検出用光源１２Ａ、１２Ｃ、１２Ｄが消灯状態にあると、検出対象空間１０Ｒには、Ｘ軸方向の他方側Ｘ２およびＹ軸方向の他方側Ｙ２の角部をピークとする光強度分布が形成され（図５（ｂ）参照）、かかる光強度分布において強度は直線的に変化している。また、検出用光源１２Ｃが点灯する一方、他の検出用光源１２Ａ、１２Ｂ、１２Ｄが消灯状態にあると、検出対象空間１０Ｒには、Ｘ軸方向の他方側Ｘ２およびＹ軸方向の一方側Ｙ１の角部をピークとする光強度分布が形成され（図５（ｃ）参照）、かかる光強度分布において強度は直線的に変化している。また、検出用光源１２Ｄが点灯する一方、他の検出用光源１２Ａ〜１２Ｃが消灯状態にあると、検出対象空間１０Ｒには、Ｘ軸方向の一方側Ｘ１およびＹ軸方向の他方側Ｙ２の角部をピークとする光強度分布が形成され（図５（ｄ）参照）、かかる光強度分布において、強度は直線的に変化している。
【００３８】
従って、図６に示すように、複数の検出用光源１２のうち、導光板１３において周方向において隣り合う２つの角部に配置された一部の検出用光源１２を点灯させる一方、導光板１３において他の角部に配置された他の検出用光源を消灯させると、図７を参照して説明する光強度分布を形成することができ、かかる光強度分布によれば、１つの検出用光源１２を点灯させた場合に比して強度が大の光強度分布を形成することができる。より具体的には、図６（ａ）に示すように、検出用光源１２Ａ、１２Ｄが点灯状態にあって他の検出用光源１２Ｂ、１２Ｃが消灯状態にあると、図７（ａ）に示すように、Ｘ軸方向の一方側Ｘ１から他方側Ｘ２に向かって検出光の強度が単調減少するＸ座標検出用第１光強度分布Ｌ２Ｘａ（第１座標検出用第１光強度分布）が形成される。本形態において、Ｘ座標検出用第１光強度分布Ｌ２Ｘａでは、Ｘ軸方向の一方側Ｘ１から他方側Ｘ２に向かって検出光Ｌ２の強度が直線的に減少し、かつ、Ｙ軸方向では、検出光Ｌ２の強度が一定である。
【００３９】
これに対して、図６（ｂ）に示すように、検出用光源１２Ｂ、１２Ｃが点灯状態にあって他の検出用光源１２Ａ、１２Ｄが消灯状態にあると、図７（ｂ）に示すように、Ｘ軸方向の他方側Ｘ２から一方側Ｘ１に向かって検出光の強度が単調減少するＸ座標検出用第２光強度分布Ｌ２Ｘｂ（第１座標検出用第２光強度分布）が形成される。本形態において、Ｘ座標検出用第２光強度分布Ｌ２Ｘｂでは、Ｘ軸方向の他方側Ｘ２から一方側Ｘ１に向かって検出光Ｌ２の強度が直線的に減少し、かつ、Ｙ軸方向では、検出光Ｌ２の強度が一定である。
【００４０】
ここで、導光板１３および検出対象空間１０Ｒは、Ｚ軸方向からみたときいずれも長方形であって、双方の中心が一致している。それ故、導光板１３を基準に光強度分布をＸ軸方向で対称に形成すれば、検出対象空間１０Ｒにおいても、光強度分布をＸ軸方向で対称に形成することができる。
【００４１】
また、図６（ｃ）に示すように、検出用光源１２Ａ、１２Ｃが点灯状態にあって他の検出用光源１２Ｂ、１２Ｄが消灯状態にあると、図７（ｃ）に示すように、Ｙ軸方向の一方側Ｙ１から他方側Ｙ２に向かって検出光の強度が単調減少するＹ座標検出用第１光強度分布Ｌ２Ｙａ（第２座標検出用第１光強度分布）が形成される。本形態において、Ｙ座標検出用第１光強度分布Ｌ２Ｙａでは、Ｙ軸方向の一方側Ｙ１から他方側Ｙ２に向かって検出光Ｌ２の強度が直線的に減少し、かつ、Ｘ軸方向では、検出光Ｌ２の強度が一定である。
【００４２】
これに対して、図６（ｄ）に示すように、検出用光源１２Ｂ、１２Ｄが点灯状態にあって他の検出用光源１２Ａ、１２Ｃが消灯状態にあると、図７（ｄ）に示すように、Ｙ軸方向の他方側Ｙ２から一方側Ｙ１に向かって検出光の強度が単調減少するＹ座標検出用第２光強度分布Ｌ２Ｙｂ（第２座標検出用第２光強度分布）が形成される。本形態において、Ｙ座標検出用第２光強度分布Ｌ２Ｙｂでは、Ｙ軸方向の他方側Ｙ２から一方側Ｙ１に向かって検出光Ｌ２の強度が直線的に減少し、かつ、Ｘ軸方向では、検出光Ｌ２の強度が一定である。
【００４３】
ここで、導光板１３および検出対象空間１０Ｒは、Ｚ軸方向からみたときいずれも長方形であって、双方の中心が一致している。それ故、導光板１３を基準に光強度分布をＹ軸方向で対称に形成すれば、検出対象空間１０Ｒにおいても、光強度分布をＹ軸方向で対称に形成することができる。
【００４４】
なお、図示を省略するが、４つの検出用光源１２（検出用光源１２Ａ〜１２Ｄ）が全て点灯すると、導光板１３からＺ軸方向の他方側Ｚ２から一方側Ｚ１に向かって強度が低下するＺ座標検出用光強度分布が形成される。かかるＺ座標検出用光強度分布では、Ｚ軸方向で強度が単調減少し、かかる変化は、検出対象空間１０Ｒという限られた空間内では略直線的な変化とみなすことができる。また、Ｚ座標検出用光強度分布では、Ｘ軸方向およびＹ軸方向において強度が一定である。
【００４５】
（Ｘ座標検出の基本原理）
図８は、本発明を適用した光学式位置検出装置１０での位置検出原理を模式的に示す説明図であり、図８（ａ）、（ｂ）は、対象物体Ｏｂで反射した検出光の強度を示す説明図、および対象物体Ｏｂで反射した検出光の強度が等しくなるように検出光の光強度分布を調整する様子を示す説明図である。
【００４６】
本形態の光学式位置検出装置１０においては、検出用光源１２を点灯させて検出対象空間１０Ｒに検出光Ｌ２の光強度分布を形成するとともに、対象物体Ｏｂで反射した検出光Ｌ２を光検出器３０で検出し、かかる光検出器３０での検出結果に基づいて、位置検出部５０は、検出対象空間１０Ｒ内の対象物体Ｏｂの位置を検出する。そこで、図８を参照して座標検出の原理を説明する。なお、光検出器３０での検出結果に基づいて対象物体Ｏｂの検出対象空間１０Ｒ内の位置情報を取得するにあたって、例えば、光源制御部１４５や位置検出部５０としてマイクロプロセッサーユニット（ＭＰＵ）を用い、これにより所定のソフトウェア（動作プログラム）を実行することに従って処理を行う構成を採用することができる。また、論理回路等のハードウェアを用いた構成を採用することもできる。
【００４７】
本形態の光学式位置検出装置１０においては、図７（ａ）、（ｂ）を参照して説明したＸ座標検出用第１光強度分布Ｌ２ＸａおよびＸ座標検出用第２光強度分布Ｌ２Ｘｂを利用してＸ軸方向の位置を検出する。その際、検出用光源１２Ａ、１２Ｄと検出用光源１２Ｂ、１２Ｃとを逆相に駆動する。より具体的には、Ｘ座標検出用第１期間において、検出用光源１２Ａ、１２Ｄを点灯させる一方、検出用光源１２Ｂ、１２Ｃを消灯させ、図７（ａ）に示すＸ座標検出用第１光強度分布Ｌ２Ｘａを形成する。次に、検出用光源１２Ａ、１２Ｄを消灯させる一方、検出用光源１２Ｂ、１２Ｃを点灯させ、図７（ｂ）に示すＸ座標検出用第２光強度分布Ｌ２Ｘｂを形成する。従って、検出対象空間１０Ｒに対象物体Ｏｂが配置されると、対象物体Ｏｂにより検出光Ｌ２が反射され、その反射光の一部が光検出器３０により検出される。ここで、Ｘ座標検出用第１光強度分布Ｌ２Ｘａ、およびＸ座標検出用第２光強度分布Ｌ２Ｘｂは、一定の分布を有している。それ故、Ｘ座標検出部５１は、Ｘ座標検出用第１期間における光検出器３０での検出強度と、Ｘ座標検出用第２期間における光検出器３０での検出強度との比較を行えば、図８を参照して以下に説明する方法等により、対象物体ＯｂのＸ座標を検出することができる。
【００４８】
まず、図８（ａ）に示すように、Ｘ座標検出用第１期間およびＸ座標検出用第２期間においてＸ座標検出用第１光強度分布Ｌ２ＸａおよびＸ座標検出用第２光強度分布Ｌ２Ｘｂを絶対値が等しく、かつ、Ｘ軸方向で逆向きになるように順次形成する。この状態で、Ｘ座標検出用第１期間における光検出器３０での検出値ＬＸａと、Ｘ座標検出用第２期間における光検出器３０での検出値ＬＸｂとが等しければ、対象物体ＯｂがＸ軸方向の中央に位置することが分る。
【００４９】
これに対して、Ｘ座標検出用第１期間における光検出器３０での検出値ＬＸａと、Ｘ座標検出用第２期間における光検出器３０での検出値ＬＸｂとが相違している場合、検出値ＬＸａ、ＬＸｂが等しくなるように、検出用光源１２に対する制御量（駆動電流）を調整して、図８（ｂ）に示すように、再度、Ｘ座標検出用第１期間においてＸ座標検出用第１光強度分布Ｌ２Ｘａを形成し、Ｘ座標検出用第２期間においてＸ座標検出用第２光強度分布Ｌ２Ｘｂを順次形成する。そして、Ｘ座標検出用第１期間における光検出器３０での検出値ＬＸａと、Ｘ座標検出用第２期間における光検出器３０での検出値ＬＸｂとを等しくする。かかる差動を行った際の検出用光源１２Ａ、１２Ｄに対する制御量（電流値）と、検出用光源１２Ａ、１２Ｄに対する制御量（電流値）との比あるいは差等により、対象物体ＯｂのＸ座標を検出することができる。また、Ｘ座標検出用第１期間での検出用光源１２に対する制御量の調整量ΔＬＸａと、Ｘ座標検出用第２期間での検出用光源１２に対する制御量の調整量ΔＬＸｂとの比あるいは差等により、対象物体ＯｂのＸ座標を検出することができる。かかる方法によれば、検出光Ｌ２以外の環境光、例えば、外光に含まれる赤外成分が光検出器３０に入射した場合でも、検出値ＬＸａ、ＬＸｂが等しくなるように検出用光源１２に対する制御量の調整を行なう際、環境光に含まれる赤外成分の強度が相殺されるので、環境光に含まれる赤外成分が検出精度に影響を及ぼすことがない。
【００５０】
（Ｙ座標検出の基本原理）
本形態の光学式位置検出装置１０においては、図７（ｃ）、（ｄ）を参照して説明したＹ座標検出用第１光強度分布Ｌ２ＹａおよびＹ座標検出用第２光強度分布Ｌ２Ｙｂを利用してＹ軸方向の位置（Ｙ座標）を検出する。より具体的には、検出用光源１２Ａ、１２Ｃと検出用光源１２Ｂ、１２Ｄとを逆相に駆動する。すなわち、図６（ｃ）に示すように、Ｙ座標検出用第１期間においては、検出用光源１２Ａ、１２Ｃを点灯させる一方、検出用光源１２Ｂ、１２Ｄを消灯させ、図７（ｃ）に示すＹ座標検出用第１光強度分布Ｌ２Ｙａを形成する。次に、Ｙ座標検出用第２期間において、図６（ｄ）に示すように、検出用光源１２Ａ、１２Ｃを消灯させる一方、検出用光源１２Ｂ、１２Ｄを点灯させ、図７（ｄ）に示すＹ座標検出用第２光強度分布Ｌ２Ｙｂを形成する。従って、Ｙ座標検出部５２は、Ｙ座標検出用第１期間における光検出器３０での検出値ＬＹａと、Ｙ座標検出用第２期間における光検出器３０での検出値ＬＹｂとを比較する等、Ｘ座標を検出した方法と同様な方法により、対象物体ＯｂのＹ座標を検出することができる。
【００５１】
（Ｚ座標検出の基本原理）
本形態の光学式位置検出装置１０において、Ｚ座標を検出するには、検出用光源１２Ａ〜１２Ｄの全てを同時に点灯させ、Ｚ軸方向で強度が単調変化するＺ座標検出用光強度分布を形成する。従って、検出対象空間１０Ｒに対象物体Ｏｂが配置されると、対象物体Ｏｂにより検出光Ｌ２が反射され、その反射光の一部が光検出器３０により検出される。ここで、Ｚ座標検出用光強度分布は、Ｚ軸方向において一定の傾斜分布を有しているので、光検出器３０での検出強度に基づいて対象物体ＯｂのＺ座標を検出することができる。
【００５２】
（参照用光源１２Ｒを用いての座標検出）
上記の座標検出を行う際、検出光Ｌ２のみを用いてもよいが、本形態の光学式位置検出装置１０では、参照用光源１２Ｒが設けられている。従って、対象物体ＯｂのＸ座標およびＹ座標を検出する際、検出用光源１２同士の差動に代えて、光検出器３０での参照光Ｌｒの検出強度と、対象物体Ｏｂで反射した検出光Ｌ３の光検出器３０での検出強度とを比較した結果等を利用することができる。より具体的には、光検出器３０での検出強度が等しくなるように参照用光源１２Ｒと一部の検出用光源１２とを差動させた際の検出用光源１２に対する駆動電流と、光検出器３０での検出強度が等しくなるように参照用光源１２Ｒと他の一部の検出用光源１２とを差動させた際の検出用光源１２に対する駆動電流との差や比を用いて対象物体Ｏｂの位置を検出することができる。
【００５３】
また、対象物体ＯｂのＺ座標を検出する際、Ｚ座標検出用光強度分布の絶対値に代えて、光検出器３０での参照光Ｌｒの検出強度と、対象物体Ｏｂで反射した検出光Ｌ３の光検出器３０での検出強度とを比較した結果等を利用することができる。より具体的には、光検出器３０での検出強度が等しくなるように参照用光源１２Ｒと、全ての検出用光源１２とを差動させた際の検出用光源１２に対する駆動電流と、検出用光源１２に対する駆動電流との差や比を用いて対象物体Ｏｂの位置を検出することができる。かかる方法によれば、対象物体ＯｂのＺ座標を検出する際も、環境光に含まれる赤外成分が検出精度に影響を及ぼすことがない。
【００５４】
さらに、本形態では、検出用光源１２および参照用光源１２Ｒは共通の光源駆動部１４により駆動されている。このため、検出用光源１２および参照用光源１２Ｒに供給される駆動信号に強度変動が発生しても、かかる強度変動の影響等を受けずに対象物体Ｏｂの位置を検出することができる。
【００５５】
（本形態の主な効果）
以上説明したように、本形態の光学式位置検出装置１０においては、導光板１３の角部１３ａ〜１３ｄに光入射部１３ｅ〜１３ｈが設けられているとともに、導光板１３には、導光板１３の内部を伝播する検出光Ｌ２を光出射面１３ｓに向けて反射部１３ｒが設けられている。このため、光入射部１３ｅ〜１３ｈから入射した検出光Ｌ２は、導光板１３の内部を伝播しながら進行する途中、反射部１３ｒによって光出射面１３ｓに向けて偏向され、光出射面１３ｓから出射される。その結果、導光板１３に対して光出射面１３ｓ側には、検出光Ｌ２の光強度分布が形成される。また、光検出器３０での検出光Ｌ３の検出強度は、対象物体Ｏｂが位置する箇所の光強度に対応する。それ故、光検出器３０での検出光Ｌ３の検出強度に基づいて対象物体Ｏｂの位置を検出することができる。ここで、光入射部１３ｅ〜１３ｈは導光板１３の角部１３ａ〜１３ｄに設けられているため、光出射面１３ｓからの出射強度は、角部１３ａ〜１３ｄで高く、角部１３ａ〜１３ｄから離間するに伴って急激に低下しようとするが、本形態において、導光板１３では、反射部１３ｒが角部１３ａ〜１３ｄから離間するに伴って密度が増大する分布をもって設けられている。このため、角部１３ａ〜１３ｄから離間する位置においても、光出射面１３ｓからの出射効率が高い。それ故、光出射面１３ｓに沿うＸ軸方向およびＹ軸方向では、一方側から他方側に向かって強度が直線的に減少する光強度分布を形成することができるとともに、他方側から一方側に向かって強度が直線的に減少する光強度分布を形成することができる。それ故、導光板１３によって形成した検出光Ｌ２の光強度分布を利用して対象物体Ｏｂの位置を精度よく検出することができる。
【００５６】
また、本形態において、位置検出部５０は、複数の検出用光源１２のうち、周方向において隣り合う２つの角部に配置された一部の検出用光源を点灯させる一方、他の角部に配置された他の検出用光源を消灯させた際の光検出器３０での検出光Ｌ３の検出強度、および一部の検出用光源を消灯させる一方、他の検出用光源を点灯させた際の光検出器３０での検出光Ｌ３の検出強度に基づいて、対象物体Ｏｂの位置を検出する。従って、検出用光源１２を１つずつ点灯させた場合に比して、検出光Ｌ２の強度が大であるとともに、広い範囲にわたって、強度が直線的に変化する光強度分布を形成することができる。
【００５７】
また、本形態において、導光板１３では、中心Ｏ13から辺部１３ｎに向かって反射部１３ｒの密度が減少している。また、導光板１３において、角部１３ａ〜１３ｄから中心Ｏ13に向かって反射部１３ｒの密度が増大していく度合いは、角部１３ａ〜１３ｄから中心Ｏ13と辺部１３ｎとの間に向かって反射部１３ｒの密度が増大していく度合いより小である。従って、導光板１３の辺部１３ｎ付近において、かかる辺部１３ｎを挟む角部に設けられた２つの検出用光源１２から出射された検出光Ｌ２の強度を合成すると、強度が直線的に変化する光強度分布が形成されることになる。
【００５８】
また、検出光Ｌ２は赤外光であるため、表示装置８の表示面と重なる位置に検出対象空間１０Ｒを設定した場合でも、検出光Ｌ２が画像の視認を妨げない。また、表示装置８の表示面と重なる位置に検出対象空間１０Ｒを設定した場合でも、検出光Ｌ２と表示光の波長が異なるので、導光板１３に設けた反射部１３ｒが画像の表示を妨げない。
【００５９】
［他の実施の形態］
図９は、本発明を適用した別の位置検出機能付き機器１００の説明図であり、図９（ａ）、（ｂ）は、導光板１３の中心と検出対象空間１０Ｒの中心とがずれている場合の説明図、および検出対象空間１０Ｒの形状が台形である場合の説明図である。
【００６０】
上記実施の形態では、導光板１３および検出対象空間１０ＲがＺ軸方向からみたときいずれも長方形であって、双方の中心が一致している例であったが、本形態では、図９を参照して、以下に説明するように、導光板１３の中心と検出対象空間１０Ｒの中心とがずれている。このような場合でも、本形態では、導光板１３に反射部１３ｒを適正な分布で形成したため、導光板１３と重なる領域全体において強度が直線的に変化する適正な光強度分布を形成することができる。
【００６１】
例えば、図９（ａ）に示すように、表示装置８の２つの辺部に沿って駆動回路８１、８２等が設けられていることに起因して、導光板１３の中心Ｏ13（導光板１３において対角に位置する角部同士を結んだ２つの仮想線の交点）と、検出対象空間１０Ｒの中心Ｏ10（検出対象空間１０Ｒにおいて対角に位置する角部同士を結んだ２つの仮想線の交点）とがずれている場合でも、適正な強度分布を形成することができる。より具体的には、検出対象空間１０ＲのＸ軸方向の一方側Ｘ１の端部１０Ｒ1から検出対象空間１０ＲのＸ軸方向の他方側Ｘ２の端部１０Ｒ2に向けて強度が直線的に減少する光強度分布と、検出対象空間１０ＲのＸ軸方向の他方側Ｘ２の端部１０Ｒ2から検出対象空間１０ＲのＸ軸方向の一方側Ｘ１の端部１０Ｒ1に向けて強度が直線的に減少する光強度分布とをＸ軸方向で対称に形成することができる。また、検出対象空間１０ＲのＹ軸方向の一方側Ｙ１の端部１０Ｒ4から検出対象空間１０ＲのＹ軸方向の他方側Ｙ２の端部１０Ｒ3に向けて強度が直線的に減少する光強度分布と、検出対象空間１０ＲのＹ軸方向の他方側Ｙ２の端部１０Ｒ3から検出対象空間１０ＲのＹ軸方向の一方側Ｙ１の端部１０Ｒ4に向けて強度が直線的に減少する光強度分布とをＹ軸方向で対称に形成することができる。
【００６２】
また、図９（ｂ）に示すように、導光板１３が長方形であるのに対して、検出対象空間１０Ｒが台形であることに起因して、導光板１３の中心Ｏ13（導光板１３において対角に位置する角部同士を結んだ２つの仮想線の交点）と、検出対象空間１０Ｒの中心Ｏ10（検出対象空間１０Ｒにおいて対角に位置する角部同士を結んだ２つの仮想線の交点）とがずれている場合でも、適正な強度分布を形成することができる。より具体的には、検出対象空間１０ＲのＸ軸方向の一方側Ｘ１の端部１０Ｒ1から検出対象空間１０ＲのＸ軸方向の他方側Ｘ２の端部１０Ｒ2に向けて強度が直線的に減少する光強度分布と、検出対象空間１０ＲのＸ軸方向の他方側Ｘ２の端部１０Ｒ2から検出対象空間１０ＲのＸ軸方向の一方側Ｘ１の端部１０Ｒ1に向けて強度が直線的に減少する光強度分布とをＸ軸方向で対称に形成することができる。また、検出対象空間１０ＲのＹ軸方向の一方側Ｙ１の端部１０Ｒ4から検出対象空間１０ＲのＹ軸方向の他方側Ｙ２の端部１０Ｒ3に向けて強度が直線的に減少する光強度分布と、検出対象空間１０ＲのＹ軸方向の他方側Ｙ２の端部１０Ｒ3から検出対象空間１０ＲのＹ軸方向の一方側Ｙ１の端部１０Ｒ4に向けて強度が直線的に減少する光強度分布とをＹ軸方向で対称に形成することができる。
【符号の説明】
【００６３】
８・・表示装置（視認面構成部材）、１０・・光学式位置検出装置、１０Ｒ・・検出対象空間、１２、１２Ａ〜１２Ｄ・・検出用光源、１２Ｒ・・参照用光源、１３・・導光板、１３ａ〜１３ｄ・・角部、１３ｍ・・外周側面、１３ｎ・・辺部、１３ｒ・・反射部、１３ｓ・・光出射面、１３ｔ・・背面、３０・・光検出器、５０・・位置検出部、１００・・位置検出機能付き機器、Ｏｂ・・対象物体
【図１】
2012133631.tif 000003
【図２】
2012133631.tif 000004
【図３】
2012133631.tif 000005
【図４】
2012133631.tif 000006
【図５】
2012133631.tif 000007
【図７】
2012133631.tif 000008
【図８】
2012133631.tif 000009
【図９】
2012133631.tif 000010
【図１０】
2012133631.tif 000011
【図６】
2012133631.tif 000012